(57)【特許請求の範囲】
【請求項１】
互いに平行な両辺部に沿って互いに間隔を開けて形成されかつ両辺部と直交する方向に該両辺部から互いに反対方向に延びるように形成された挿入保持板部を有する矩形状基体と、前記挿入保持板部に着脱可能に嵌合されて前記矩形状基体の互いに平行な両辺部に沿って配列されしかも長尺形状の円筒部材が掛け渡される複数個の分割保持体とからなり、
前記矩形状基体の一方の辺部に沿って配列される分割保持体と前記矩形状基体の他方の辺部に沿って配列される分割保持体とは、前記矩形状基体に対して起立する方向に延びかつ互いに協働して前記円筒部材の両端部を保持する起立板部を有し、前記矩形状基体の一方の辺部に沿って配列される分割保持体に対して前記矩形状基体の他方の辺部に沿って配列される分割保持体の当該他方の辺部の挿入保持板部に対する挿入方向を変更することにより当該分割保持体の起立板部が長さの異なる円筒部材を保持可能とされている輸送用組立体。
【請求項２】
前記矩形状基体の他方の辺部に沿って配列される分割保持体の起立板部は、挿入方向に間隔を互いに開けてかつ前記他方の辺部に沿って平行に延びる一対の対向壁部から構成されていることを特徴とする請求項１に記載の輸送用組立体。
【請求項３】
前記円筒部材が前記両端部に支持軸を有することを特徴とする請求項２に記載の輸送用組立体。
【請求項４】
前記一方の辺部に沿って配列される分割保持体の起立板部と前記他方の辺部に沿って配列される分割保持体の各起立板部とには、前記円筒部材の支持軸を上方から下方に向かって案内するために上端から下方に向かって延びる切り欠き穴が形成されていることを特徴とする請求項３に記載の輸送用組立体。
【請求項５】
前記各切り欠き穴の周壁には、円筒部材の支持軸を支持した際の抜け止めを行う一対の抜け止め突起が形成されていることを特徴とする請求項４に記載の輸送用組立体。
【請求項６】
前記各切り欠き穴は、上部と下部とで異なる軸径の支持軸を有する円筒部材を支持するために、その幅が上部と下部とで異ならされ、上部の幅が下部の幅よりも広く形成されていることを特徴とする請求項４に記載の輸送用組立体。
【請求項７】
前記切り欠き穴の周壁には、軸径の大きな支持軸を有する円筒部材を支持した際の抜け止めを行う一対の抜け止め突起と、軸径の小さな支持軸を有する円筒部材を支持した際の抜け止めを行う一対の抜け止め突起とが形成されていることを特徴とする請求項６に記載の輸送用組立体。
【請求項８】
前記他方の辺部に沿って配列される各分割保持体の一対の対向壁部の間隔が、前記円筒部材の支持軸を前記切り欠き穴に挿入する際に指の挿入に支障をきたさない程度の大きさであることを特徴とする請求項３又は請求項４に記載の輸送用組立体。
【請求項９】
前記矩形状基体の一方の辺部に沿って配列される各分割保持体には前記各起立板部に該一方の辺部に沿って延びる方向の両端側でかつその下部に前記一方の辺部の挿入保持板部の延びる方向に延びる一対の脚板部が形成されると共に、当該各挿入保持板部に嵌合される矩形状角穴が形成され、当該各挿入保持板部には、前記矩形状角穴の構成壁に係合して当該分割保持体の抜け止めを行う切り起こし片が形成されていることを特徴とする請求項４に記載の輸送用組立体。
【請求項１０】
前記一方の辺部に沿って配列される各分割保持体の矩形状角穴の構成壁には、前記切り起こし片に対向する箇所に係合リブが形成されていることを特徴とする請求項９に記載の輸送用組立体。
【請求項１１】
前記矩形状基体の他方の辺部に沿って配列される各分割保持体は、下板部と前記一対の対向壁部を連結する上板部とを有し、該下板部と上板部との間は前記他方の辺部が挿入される挿入空間とされ、該挿入空間に前記他方の辺部の挿入保持板部が挿入される矩形状角穴の構成壁が形成されていることを特徴とする請求項４に記載の輸送用組立体。
【請求項１２】
前記下板部は該他方の辺部に沿って延びる方向の両端側に一対の脚板部を有することを特徴とする請求項１１に記載の輸送用組立体。
【請求項１３】
前記矩形状基体の他方の辺部に沿って配列される各分割保持体の一対の対向壁部のうちの一方の対向壁部は一方の辺部に組み付けられる各分割保持体の起立板部と協働して長い円筒部材を保持し、前記一対の対向壁部のうちの他方の対向壁部は一方の辺部に組み付けられる各分割保持体の起立板部と協働して短い円筒部材を保持可能とするために、前記挿入空間の開放側に位置されていることを特徴とする請求項１１に記載の輸送用組立体。
【請求項１４】
前記他方の辺部に沿って配列される各分割保持体の挿入空間に形成された矩形状角穴は、前記上板部と前記下板部とを連結しかつ一方の対向壁部から他方の対向壁部に向かって延びしかも前記他方の辺部の挿入保持板部を案内する案内壁部を有し、
該案内壁部の延びる方向先端は前記短い円筒部材を保持可能とするために前記他方の辺部が前記挿入空間にその開放側から挿入されるようにして前記各分割保持体を前記矩形状基体の他方の辺部に組み付けたときに前記他方の辺に当接して挿入方向の位置を規制する位置決め面とされ、
前記矩形状角穴の構成壁の一方の対向壁部に向かって開口する開口壁が、前記長い円筒部材を保持可能とするために前記他方の辺部の挿入保持板部を前記矩形状角穴に一方の対向壁部に向かって開口する開口壁の側から挿入されるようにして前記保持体を前記矩形状基体の他方の辺部に組み付けたときに前記他方の辺に当接して挿入方向の位置を規制する位置決め面とされていることを特徴とする請求項１３に記載の輸送用組立体。
【請求項１５】
前記他方の辺部の挿入保持板部には、短い円筒部材を保持することが可能なように前記各分割保持体を前記他方の辺部に組み付けたときに、当該各分割保持体の矩形状角穴の開口壁に係合して当該各分割保持体の抜け止めを行う切り起こし片が形成されていることを特徴とする請求項１３に記載の輸送用組立体。
【請求項１６】
前記他方の辺部に沿って配列される各分割保持体の矩形状角穴の開口壁には、前記切り起こし片に対向する箇所に係合リブが形成されていることを特徴とする請求項１５に記載の輸送用組立体。
【請求項１７】
前記他方の辺部に沿って配列される各分割保持体の上板部には、前記矩形状角穴に通じる開口が形成され、長い円筒部材を保持することが可能なように前記分割保持体を前記他方の辺部に組み付けたときに、当該開口を構成する構成壁が前記切り起こし片に係合する係合部とされていることを特徴とする請求項１５に記載の輸送用組立体。
【請求項１８】
前記他方の辺部に沿って配列される各分割保持体の上板部に形成された開口が指で切り起こし片を押さえて倒すことができる程度の大きさであることを特徴とする請求項１７に記載の輸送用組立体。
【請求項１９】
前記矩形状基体がプラスチック製段ボールから構成され、その材質がポリプロピレン樹脂からなることを特徴とする請求項４に記載の輸送用組立体。
【請求項２０】
前記各分割保持体の材料として、成形品樹脂の廃材が用いられていることを特徴とする請求項４に記載の輸送用組立体。
【請求項２１】
請求項１に記載の円筒部材が長さの短い未完成品のローラと長さの長い完成品のローラとであり、未完成品のローラを保持する輸送用組立体を箱に積み重ねて輸送し、組み立て工程で完成品のローラとした後に、未完成品のローラの輸送に用いた請求項１に記載の矩形状基体の他方の辺部に組み付けられている請求項１に記載の各分割保持体を取り外して当該各分割保持体の挿入方向を反対向きにして再度当該各分割保持体を当該他方の辺部に組み付けることにより完成品のローラを保持する輸送用組立体を構成し、当該輸送用組立体を箱に積み重ねて輸送することを特徴とする輸送方法。
【発明の詳細な説明】
【技術分野】
【０００１】
本発明は、部品運搬や輸送の際に使用される輸送用組立体及びこの輸送用組立体を用いた輸送方法に関する。
【背景技術】
【０００２】
従来から、輸送用組立体には、不要時に折り畳んで置くことができるもの（例えば、特許文献１参照。）、一枚のシートを折り畳んで使用することができるものが知られている（例えば、特許文献２参照）。
【特許文献１】特開平１１−２９１３６号公報
【特許文献２】特開平８−７２８６０号公報
【発明の開示】
【発明が解決しようとする課題】
【０００３】
ところで、従来、長尺形状の円筒部材を支持する輸送用組立体は、長尺形状の全長や外径寸法に合わせて専用の構成となっているため、全長や外径寸法の異なる円筒部材に用いることができず、輸送用組立体の共用化を図ることができないという不都合がある。
【０００４】
特に、円筒部材としてのローラを支持する輸送用組立体は、ローラを支持する保持体と保持体を固定するための基板とが接着等の手段により一体化されて、分離すると破壊される構造となっているから、全長や外径寸法が変更されるたびに、輸送用組立体を廃棄せざるを得ず、資源上の無駄が生じる。
【０００５】
また、保持体に用いる材料として発泡質のもの、プラスチックス製のものが使用され、産業廃棄物の観点からも好ましいものではない。
【０００６】
そこで、共用化を図りかつ産業廃棄物の低減化を図るのに好適な輸送用組立体が提案されている（特願２００５−９７４８号）。
【０００７】
この特願２００５−９７４８号の明細書に開示の輸送用組立体は、互いに平行な両辺部に沿って互いに間隔を開けて形成されかつ両辺部と直交する方向にこの両辺部から互いに反対方向に延びるように形成された挿入保持板部を有する矩形状基体と、その挿入保持板部に着脱可能に嵌合されてその矩形状基体の互いに平行な両辺部に沿って配列されしかも長尺形状の円筒部材の中間部分を矩形状基体に対して浮かせた状態でこの円筒部材の両端部を保持する保持体とから構成されている。
【０００８】
この輸送用組立体を用いれば、矩形状基体と保持体との組み立て、分解を容易に行うことができ、矩形状基体に幅の異なるものを用いれば、異なる長さの円筒部材に対して保持体の共用化を図ることができるという長所がある。
【０００９】
しかしながら、その特願２００５−９７４８号の明細書に開示の輸送用組立体では、異なる長さの円筒部材に対しては、輸送用組立体の構成部品である矩形状基体に幅の異なるものを用いなければならず、共用化を図るという観点からは、今一歩の改善の余地がある。
【００１０】
本発明は、上記の事情に鑑みて為されたもので、その目的とするところは、構成部品の交換を行わなくとも、長さの異なる円筒部材を保持することのできる輸送用組立体及びこの輸送用組立体を用いた輸送方法を提供することにある。
【課題を解決するための手段】
【００１１】
請求項１に記載の輸送用組立体は、互いに平行な両辺部に沿って互いに間隔を開けて形成されかつ両辺部と直交する方向に該両辺部から互いに反対方向に延びるように形成された挿入保持板部を有する矩形状基体と、前記挿入保持板部に着脱可能に嵌合されて前記矩形状基体の互いに平行な両辺部に沿って配列されしかも長尺形状の円筒部材が掛け渡される複数個の分割保持体とからなり、
前記矩形状基体の一方の辺部に沿って配列される分割保持体と前記矩形状基体の他方の辺部に沿って配列される分割保持体とは、前記矩形状基体に対して起立する方向に延びかつ互いに協働して前記円筒部材の両端部を保持する起立板部を有し、前記矩形状基体の一方の辺部に沿って配列される分割保持体に対して前記矩形状基体の他方の辺部に沿って配列される分割保持体の当該他方の辺部の挿入保持板部に対する挿入方向を変更することにより当該分割保持体の起立板部が長さの異なる円筒部材を保持可能とされていることを特徴とする。
【００１２】
請求項２に記載の輸送用組立体は、前記矩形状基体の他方の辺部に沿って配列される分割保持体の起立板部は、挿入方向に間隔を互いに開けてかつ前記他方の辺部に沿って平行に延びる一対の対向壁部から構成されていることを特徴とする。
【００１３】
請求項３に記載の輸送用組立体は、前記円筒部材が前記両端部に支持軸を有することを特徴とする。
【００１４】
請求項４に記載の輸送用組立体は、前記一方の辺部に沿って配列される分割保持体の起立板部と前記他方の辺部に沿って配列される分割保持体の各起立板部とには、前記円筒部材の支持軸を上方から下方に向かって案内するために上端から下方に向かって延びる切り欠き穴が形成されていることを特徴とする。
【００１５】
請求項５に記載の輸送用組立体は、前記各切り欠き穴の周壁には、円筒部材の支持軸を支持した際の抜け止めを行う一対の抜け止め突起が形成されていることを特徴とする。
【００１６】
請求項６に記載の輸送用組立体は、前記各切り欠き穴は、上部と下部とで異なる軸径の支持軸を有する円筒部材を支持するために、その幅が上部と下部とで異ならされ、上部の幅が下部の幅よりも広く形成されていることを特徴とする。
【００１７】
請求項７に記載の輸送用組立体は、前記切り欠き穴の周壁には、軸径の大きな支持軸を有する円筒部材を支持した際の抜け止めを行う一対の抜け止め突起と、軸径の小さな支持軸を有する円筒部材を支持した際の抜け止めを行う一対の抜け止め突起とが形成されていることを特徴とする。
【００１８】
請求項８に記載の輸送用組立体は、前記他方の辺部に沿って配列される各分割保持体の一対の対向壁部の間隔が、前記円筒部材の支持軸を前記切り欠き穴に挿入する際に指の挿入に支障をきたさない程度の大きさであることを特徴とする。
【００１９】
請求項９に記載の輸送用組立体は、前記矩形状基体の一方の辺部に沿って配列される各分割保持体には前記各起立板部に該一方の辺部に沿って延びる方向の両端側でかつその下部に前記一方の辺部の挿入保持板部の延びる方向に延びる一対の脚板部が形成されると共に、当該各挿入保持板部に嵌合される矩形状角穴が形成され、当該各挿入保持板部には、前記矩形状角穴の構成壁に係合して当該分割保持体の抜け止めを行う切り起こし片が形成されていることを特徴とする。
【００２０】
請求項１０に記載の輸送用組立体は、前記一方の辺部に沿って配列される各分割保持体の矩形状角穴の構成壁には、前記切り起こし片に対向する箇所に係合リブが形成されていることを特徴とする。
【００２１】
請求項１１に記載の輸送用組立体は、前記矩形状基体の他方の辺部に沿って配列される各分割保持体は、下板部と前記一対の対向壁部を連結する上板部とを有し、該下板部と上板部との間は前記他方の辺部が挿入される挿入空間とされ、該挿入空間に前記他方の辺部の挿入保持板部が挿入される矩形状角穴の構成壁が形成されていることを特徴とする。
【００２２】
請求項１２に記載の輸送用組立体は、前記下板部は該他方の辺部に沿って延びる方向の両端側に一対の脚板部を有することを特徴とする。
【００２３】
請求項１３に記載の輸送用組立体は、前記矩形状基体の他方の辺部に沿って配列される各分割保持体の一対の対向壁部のうちの一方の対向壁部は一方の辺部に組み付けられる各分割保持体の起立板部と協働して長い円筒部材を保持し、前記一対の対向壁部のうちの他方の対向壁部は一方の辺部に組み付けられる各分割保持体の起立板部と協働して短い円筒部材を保持可能とするために、前記挿入空間の開放側に位置されていることを特徴とする。
【００２４】
請求項１４に記載の輸送用組立体は、前記他方の辺部に沿って配列される各分割保持体の挿入空間に形成された矩形状角穴は、前記上板部と前記下板部とを連結しかつ一方の対向壁部から他方の対向壁部に向かって延びしかも前記他方の辺部の挿入保持板部を案内する案内壁部を有し、該案内壁部の延びる方向先端は前記短い円筒部材を保持可能とするために前記他方の辺部が前記挿入空間にその開放側から挿入されるようにして前記各分割保持体を前記矩形状基体の他方の辺部に組み付けたときに前記他方の辺に当接して挿入方向の位置を規制する位置決め面とされ、前記矩形状角穴の構成壁の一方の対向壁部に向かって開口する開口壁が、前記長い円筒部材を保持可能とするために前記他方の辺部の挿入保持板部を前記矩形状角穴に一方の対向壁部に向かって開口する開口壁の側から挿入されるようにして前記保持体を前記矩形状基体の他方の辺部に組み付けたときに前記他方の辺に当接して挿入方向の位置を規制する位置決め面とされていることを特徴とする。
【００２５】
請求項１５に記載の輸送用組立体は、前記他方の辺部の挿入保持板部には、短い円筒部材を保持することが可能なように前記各分割保持体を前記他方の辺部に組み付けたときに、当該各分割保持体の矩形状角穴の開口壁に係合して当該各分割保持体の抜け止めを行う切り起こし片が形成されていることを特徴とする。
【００２６】
請求項１６に記載の輸送用組立体は、前記他方の辺部に沿って配列される各分割保持体の矩形状角穴の開口壁には、前記切り起こし片に対向する箇所に係合リブが形成されていることを特徴とする。
【００２７】
請求項１７に記載の輸送用組立体は、前記他方の辺部に沿って配列される各分割保持体の上板部には、前記矩形状角穴に通じる開口が形成され、長い円筒部材を保持することが可能なように前記分割保持体を前記他方の辺部に組み付けたときに、当該開口を構成する構成壁が前記切り起こし片に係合する係合部とされていることを特徴とする。
【００２８】
請求項１８に記載の輸送用組立体は、前記他方の辺部に沿って配列される各分割保持体の上板部に形成された開口が指で切り起こし片を押さえて倒すことができる程度の大きさであることを特徴とする。
【００２９】
請求項１９に記載の輸送用組立体は、前記矩形状基体がプラスチック製段ボールから構成され、その材質がポリプロピレン樹脂からなることを特徴とする。
【００３０】
請求項２０に記載の輸送用組立体は、前記各分割保持体の材料として、成形品樹脂の廃材が用いられていることを特徴とする。
【００３１】
請求項２１に記載の輸送方法は、請求項１に記載の円筒部材が長さの短い未完成品のローラと長さの長い完成品のローラとであり、未完成品のローラを保持する輸送用組立体を箱に積み重ねて輸送し、組み立て工程で完成品のローラとした後に、未完成品のローラの輸送に用いた請求項１に記載の矩形状基体の他方の辺部に組み付けられている請求項１に記載の各分割保持体を取り外して当該各分割保持体の挿入方向を反対向きにして再度当該各分割保持体を当該他方の辺部に組み付けることにより完成品のローラを保持する輸送用組立体を構成し、当該輸送用組立体を箱に積み重ねて輸送することを特徴とする。
【発明の効果】
【００３２】
請求項１ないし請求項２０に記載の発明によれば、輸送用組立体を構成する矩形状基体と分割保持体との組み立て、分解を容易に行うことができ、分割保持体の挿入方向を変更することにより異なる長さの円筒部材を保持できるので、輸送用組立体の構成部品を変更することなく異なる長さの円筒部材を保持可能となり、共用化を図るのに好適である。
【００３３】
また、矩形状基体又は分割保持体が破損した場合に、その交換を容易に行うことができる。
【００３４】
更に、その輸送用組立体を分解して回収できるので、回収効率を向上させることができる。
【００３５】
請求項５に記載の発明によれば、輸送の際に円筒部材の振動による跳ね上がりを防止できる。
【００３６】
特に請求項６、請求項７に記載の発明によれば、異なる軸径の支持軸を有する円筒部材を同時に保持することができる。
【００３７】
特に請求項８に記載の発明によれば、異なる長さの円筒部材を取り扱う際にその取扱いの容易化を図ることができる。
【００３８】
請求項９、請求項１０に記載の発明によれば、輸送用組立体に円筒部材を支持させた状態で輸送中に、矩形状基体の一方の辺部に組み付けられた分割保持体が矩形状基体から脱落するのを防止できる。
【００３９】
請求項１１ないし請求項１３に記載の発明によれば、短い円筒部材を保持する際に矩形状基体の他方の辺部に組み付けられる各分割保持体をその他方の辺部に嵌合させて保持させることができる。
【００４０】
請求項１４に記載の発明によれば、一対の対向壁部を有する分割保持体を矩形状基体の他方の辺部に組み付けたときに挿入方向の位置決めを行う構成としたので、一方の辺部から他方の辺部までの掛け渡し寸法を精密に確保できる。
【００４１】
請求項１５ないし請求項１７に記載の発明によれば、輸送用組立体に円筒部材を支持させた状態で輸送中に、矩形状基体の他方の辺部に組み付けられた一対の対向壁部を有する分割保持体が脱落するのを防止できる。
【００４２】
請求項１８に記載の発明によれば、一対の対向壁部を有する保持体を構成する上板部に形成された開口に、矩形状基体の切り起こし片を係合させることにより、矩形状基体からの分割保持体の抜け止めを図った場合でも、切り起こし片を容易に倒して挿入保持板部から当該分割保持体を容易に引き抜くことができる。
【００４３】
請求項１９に記載の発明によれば、矩形状基体として市販品の材料を用いることができる。
【００４４】
請求項２０に記載の発明によれば、分割保持体に成形品の廃材を利用したので、全体として産業廃棄物のリサイクル性の向上を期待できる。
【００４５】
請求項２１に記載の発明によれば、未完成品である長さの短いローラを保持した輸送用組立体を数段にして箱に積み重ねて搬送し、この搬送に用いた輸送用組立体の構成部品を用いて完成品である長さの長いローラを保持する輸送用組立体を組み立て、これを箱に数段にして積み重ねて、完成品である長さの長いローラを搬送することができ、原則的に輸送用組立体を構成する同一構成部品を用いて長さの短いローラと長さの長いローラとを搬送できる。
【発明を実施するための最良の形態】
【００４６】
以下に、本発明に係わる輸送用組立体及びこれを用いた輸送方法の発明の実施例を図面を参照しつつ説明する。
【実施例】
【００４７】
図１、図２は本発明に係わる輸送用組立体を示す斜視図であって、この図１、図２において、１は矩形状基体、２、３は分割保持体である。この矩形状基体１は、図３に拡大して示すように上下方向に間隔を開けて対向する一対の長方形状の薄板４、４と、薄板４、４間に存在して一定間隔を開けて平行に延びる補強リブ５とから構成されている。ここでは、その補強リブ５は長辺６、６’（図４参照）の延びる方向に直交する短辺方向に平行に長く延びる構成とされている。
【００４８】
この矩形状基体１にはプラスチック製段ボールが用いられ、その材質はここではポリプロピレン樹脂であり、これには、例えば市販の商品（商品名：サンプライ  ＨＰ40070（住友プラスチック製））を用いる。ここでは、矩形状基体１の材料には白色半透明体を用いている。
【００４９】
その矩形状基体１の両辺部を構成する一方の長辺６、他方の長辺６’には、図４に示すように、この長辺６、６’の延びる方向と直交する方向に延びかつ分割保持体２、３が挿入されて保持される挿入保持板部７、７’が各長辺６、６’に設けられている。その挿入保持板部７、７’は長辺６、６’の延びる方向に所定間隔を開けて複数個設けられている。
【００５０】
その挿入保持板部７、７’の個数はここではそれぞれ４個であり、同一形状の分割保持体２、３が、図１、図２に示すように、一方の長辺６と他方の長辺６’とにそれぞれ４個づつ設けられている。その分割保持体２は、一方の長辺６に沿って直線的に配列され、その分割保持体３は他方の長辺６’に沿って直線的に配列される。
【００５１】
その挿入保持板部７、７’は補強リブ５の延びる方向に長辺６、６’から互いに反対方向に突出されている。挿入保持板部7、７’はその突出基部８の突出方向先方部分が抜け止め板部９とされている。その抜け止め板部９には突出基部８から先端に向かって先細りの傾斜形状とされている。その一方の長辺６に形成された挿入保持板部７のうちの１個はその突出長さが短い。
【００５２】
その分割保持体２、３は長尺形状の円筒部材を掛け渡して保持するのに用いられ、各分割保持体２、３の材料には成形品樹脂の廃材が用いられている。その円筒部材は、ここでは、図５（ａ）、図５（ｂ）に示す未完成品としてのマグネットローラＭ１、完成品としてのマグネットローラＭ２である。
【００５３】
マグネットローラＭ１、Ｍ２はその両端部に支持軸ｍ１、ｍ１’、ｍ２、ｍ２’を有し、マグネットローラＭ２の全長はマグネットローラＭ１の全長よりも長い。マグネットローラＭ２は精密部品としての現像ローラに用いられる。
【００５４】
その分割保持体２は、図６、図７（ａ）、図７（ｂ）に拡大して示すように一方の長辺部６の挿入保持板部７が突出する方向と同方向に延びる一対の脚板部１１と、この一対の脚板部１１に対して直交する方向に起立する起立板部１２とを有する。その一対の脚板部１１は起立板部１２の延びる方向両側でその下部に存在し、一方の長辺６の延びる方向に間隔を開けて設けられている。この一対の脚板部１１は輸送用組立体の姿勢を安定させる役割を果たす。
【００５５】
その起立板部１２の上部には、図６（ａ）、図６（ｂ）、図７（ａ）、図７（ｂ）に示すように、支持軸ｍ１、ｍ２を上方から下方に向かって案内するために上端から下方に向かって延びるＵ字形状の切り欠き穴１３が長辺６の延びる方向に間隔を開けて複数個形成されている。ここではその個数は４個である。
【００５６】
ここでは、その切り欠き穴１３の下端部は支持軸ｍ１、ｍ２の外形状と同形状の半円弧状周壁１５となっている。なお、符号ｍ３、Ｍ３はそのマグネットローラＭ１、Ｍ２の円筒状胴部を示す。
【００５７】
その切り欠き穴１３の周壁１４には、図８に拡大して示すように、マグネットローラＭ１、Ｍ２の軸部ｍ１、ｍ２を支持した際の抜け止めを防止する抜け止め突起１６が一対形成されている。この抜け止め突起１６の輪郭形状は半円弧状であり、この抜け止め突起１６の対向間隔Ｌ１は、支持軸ｍ１、ｍ２の外径Ｌ２よりも若干小さい。
【００５８】
その支持軸ｍ１、ｍ２は上方から切り欠き穴１３に沿って下方に向かって案内され、この一対の抜け止め突起１６、１６を乗り越えて、半円弧状周壁１５に支持される。このように構成すると、後述する保持体３の抜け止め突起と協働して輸送の際の振動によるマグネットローラＭ１、Ｍ２の跳ね上がりを防止できる。一対の抜け止め突起１６，１６の形状が半円弧状であるので、ローラの支持軸ｍ１、ｍ２が傷つくのを極力避けることができる。また、この一対の抜け止め突起１６、１６の対向間隔とローラの支持軸ｍ１、ｍ２の軸径との関係は、ローラの支持軸ｍ１、ｍ２を矩形状穴１３に挿入するとき、又は、ローラの支持軸ｍ１、ｍ２を矩形状穴１３から引き抜くときに指に負担をかけない程度の大きさが望ましい。
【００５９】
その起立板部１２の起立基部には、その一対の脚板部１１の間に長辺６の延びる方向に長く延びて矩形状角穴１７の一部を構成する構成壁としての開口壁１８が図６（ａ）、図７（ａ）に拡大して示すように形成されている。
【００６０】
その一方の長辺部６の挿入保持板部７はその矩形状角穴１７に挿入される。この挿入保持板部７は先端が細く形成されているのでその矩形状角穴１７への挿入が容易とされている。その挿入保持板部７には、開口壁１８に係合して分割保持体２の抜け止めを防止する切り起こし片１９が図３に示すように形成されている。
【００６１】
この切り起こし片１９は、挿入保持板部７にカッター等の切断手段を用いて切り込みを入れることにより形成される。これにより、分割保持体２の矩形状基体１からの抜け止めを確実に図ることができる。この切り起こし片１９は指で摘んで起こし、起立された切り起こし片１９は指で押さえることにより元の状態に倒すことができる。分割保持体２の開口壁１８には、その切り起こし片１９に対向する箇所に係合リブ１９Ｒが形成され、切り起こし片１９と係合リブ１９Ｒとにより起立板部１２に対する切り起こし片１９の係合の確実化が図られている。この係合リブ１９Ｒはフレキシブルな構成とすることもできる。
【００６２】
その分割保持体３は他方の長辺部６’に沿って配列される。この分割保持体３は、図９（ａ）、図９（ｂ）に示すように下板部２０と上板部２１と起立板部２２とを有する。起立板部２２は挿入方向に互いに間隔を開けてかつ他方の長辺部６’に沿って平行に延びる一対の対向壁部２２ａ、２２ｂから構成されている。
【００６３】
その一対の対向壁部２２ａ、２２ｂには、図１０（ａ）、図１０（ｃ）、図１０（ｄ）に示すように支持軸ｍ１’、ｍ２’を上方から下方に向かって案内するために上端から下方に向かって延びるＵ字形状の切り欠き穴２３が形成されている。
【００６４】
その切り欠き穴２３の周壁にはマグネットローラＭ１、Ｍ２の支持軸ｍ１’、ｍ２’を支持した際の抜け止めを防止する抜け止め突起２４、２４が一対形成されている。この抜け止め突起２４、２４の輪郭形状も一対の抜け止め突起１６と同様に半円弧状であり、この抜け止め突起２４、２４の対向間隔も、支持軸ｍ１’、ｍ２’の外径よりも若干小さい。その支持軸ｍ１’、ｍ２’は上方から切り欠き穴２３に沿って下方に向かって案内され、この一対の抜け止め突起２４、２４を乗り越えて、半円弧状周壁１５’に支持される。
【００６５】
その切り欠き穴１３、２３は、図１１に示すように、起立板部１２、２２の上部と下部とで異なる軸径の支持軸ｍ１’、ｍ２’を有するマグネットローラを支持するために、その切り欠き穴１３、２３の上部の幅Ｌ３を下部の幅Ｌ４よりも広く形成してもよい。その切り欠き穴１３、２３の上部と下部とにはそれぞれ一対の抜け止め突起２４’、２４’を設けるのが更に望ましい。
【００６６】
他方の長辺部６’にはその挿入保持板部７’に、一方の長辺部６の挿入保持板部７に形成したと同様の切り起こし片１９’が形成されている。その分割保持体３の下板部２０は、図９（ａ）に示すように他方の長辺部６’に沿って延びる方向の両端側に一対の脚板部２０ａ、２０ａを有する。この一対の脚板部２０ａ、２０ａは、一方の分割保持体２の脚板部１１、１１と協働して輸送用組立体の姿勢を安定させる役割を有する。
【００６７】
その上板部２１は一対の対向壁部２２ａ、２２ｂを連結する役割を果たし、下板部２０と上板部２１との間隔は矩形状基体１の厚さよりも若干大きく、下板部２０と上板部２１との間が他方の長辺部６’が挿入される挿入空間２５とされている。一対の対向壁部２２ａ、２２ｂのうち他方の対向壁部２２ｂはその挿入空間２５の開放側に位置されている。
【００６８】
この挿入空間２５には他方の長辺部６’の挿入板部７’が挿入される矩形状角穴２６の構成壁２７が形成されている。その矩形状角穴２６の構成壁２７の一方の対向壁部２２ａに向かって開口する開口壁２７’は、図１２に示すように、長いマグネットローラＭ２を保持可能とするために他方の長辺部６’の挿入保持板部７’を矩形状角穴２６に一方の対向壁部２２ａに向かって開口する開口壁２７’の側から挿入されるようにして分割保持体３を矩形状基体１の他方の長辺部６’に組み付けたときに他方の辺に当接して挿入方向の位置を規制する位置決め面となっている。
【００６９】
その矩形状角穴２６の開口壁２７’には切り起こし片１９’に対向する箇所に係合リブ１９’Ｒが形成され、切り起こし片１９’と係合リブ１９Ｒ’との係合の確実化が図られている。この係合リブ１９’Ｒもフレキシブルな構成とすることができる。
【００７０】
一対の対向壁部２２ａ、２２ｂのうちの一方の対向壁部２２ａは、一方の長辺部６に組み付けられる分割保持体２の起立板部１２と協働して完成品としての長いマグネットローラＭ２を保持する役割を果たし、他方の対向壁部２２ｂは一方の長辺部６に組み付けられる分割保持体２の起立板部１２と協働して未完成品としての短いマグネットローラＭ１を保持する役割を有する。
【００７１】
その矩形状角穴２６の構成壁２７は上板部２０と下板部２１とを連結しかつ対向壁部２２ａから対向壁部２２ｂに向かって延びしかも他方の長辺部６’の挿入保持板部７’を案内する一対の案内壁部２６’を有する。
【００７２】
この一対の案内壁部２６’の延びる方向先端２６ａ’は、図１３に示すように、短いマグネットローラＭ１を保持可能とするために他方の長辺部６’が挿入空間２５に挿入されるようにして保持体３を矩形状基体１の他方の長辺部６’に組み付けたときに他方の長辺に当接して挿入方向の位置を規制する位置決め面とされている。
【００７３】
一対の対向壁部２２ａ、２２ｂの間隔は、図１２、図１３に示すようにマグネットローラＭ１、Ｍ２の支持軸ｍ１’、ｍ２’を切り欠き穴２３に挿入したり、切り欠き穴２３から支持軸ｍ１’、ｍ２’を取り外したりする場合に、この対向壁部２２ａ、２２ｂの間に指を挿入するのに邪魔にならない程度の大きさとされている。
【００７４】
保持体３の上板部２１には、図１０（ｄ）、図１３に示すように、矩形状角穴２６に通じる開口２８が形成されている。この開口２８を構成する構成壁は、長いマグネットローラＭ２を保持することが可能なように分割保持体３を他方の長辺部６’に組み付けたときに、切り起こし片１９’に係合する係合部とされている。その開口２８の大きさは、起立された切り起こし片１９’を指で押さえて倒すことができる程度の大きさとされている。このように構成すると、切り起こし片１９’と開口２８の構成壁との係合解除を容易に行うことができる。なお、その構成壁には切り起こし片１９’と係合する係合リブを設けても良い。
【００７５】
このものによれば、矩形状基体１の一方の長辺部６に沿って配列される分割保持体２に対して矩形状基体１の他方の長辺部６’に沿って配列される分割保持体３の他方の長辺部６’の挿入保持板部７’に対する挿入方向を対向壁部２２ａが起立板部１２に臨む方向と対向壁部２２ｂが起立板部１２に臨む方向との間で変更することにより、一方の保持体２と協働して長さの異なる円筒部材を保持することができる。
【００７６】
すなわち、矩形状基体１の一方の長辺部６に沿って配列される分割保持体２の起立板部１２に対して矩形状基体１の他方の長辺部６’に沿って配列される分割保持体３の対向壁部２２ｂが対向するように他方の長辺部６’に分割保持体３を組み付ければ、図１３、図１４に示すように短いマグネットローラＭ１を掛け渡して保持することができ、矩形状基体１の一方の長辺部６に沿って配列される分割保持体２の起立板部１２に対して矩形状基体１の他方の長辺部６’に沿って配列される分割保持体３の対向壁部２２ａが対向するように他方の長辺部６’に分割保持体３を組み付ければ、図１２、図１５に示すように長いマグネットローラＭ２を掛け渡して保持することができる。
【００７７】
この円筒部材を保持した輸送用組立体は、図１６に示す箱２９に積み重ねられ、梱包されて搬送されるものであり、例えば、長さの短い未完成品のマグネットローラＭ１を支持した輸送用組立体を数段に積み重ねて輸送し、輸送先の工場の組み立て工程で完成品のマグネットローラＭ２を組み立て、未完成品のマグネットローラＭ１の輸送に用いた矩形状基体１の他方の長辺部６’に組み付けられている分割保持体３を取り外してこの分割保持体３の挿入方向を反対向きにして再度この分割保持体３を他方の長辺部６’に組み付けることにより完成品のマグネットローラＭ２を保持する輸送用組立体を組み立て、これに完成品のマグネットローラＭ２を保持させ、この完成品のマグネットローラＭ２を掛け渡して保持した輸送用組立体を箱２９に積み重ね、梱包して輸送することができる。
【００７８】
また、分割保持体３の挿入板部７’に対する挿入方向を反対向きにして分割保持体３を矩形状基体１に組み付けたとしても、分割保持体３の一対の対向壁部２２ａ、２２ｂのいずれも挿入保持板部７’から出っ張らない構成となっているので、同一の箱２９に積み重ねて梱包できる。
【００７９】
なお、この図１７には、マグネットローラＭ１は図示が略されている。
【図面の簡単な説明】
【００８０】
【図１】本発明に係わる輸送用組立体の組み立て状態を示す斜視図であって、短い円筒部材を保持可能とするために他方の辺部に組み付けられるべき分割保持体を組み付けた状態を示す図である。
【図２】本発明に係わる輸送用組立体の組み立て状態を示す斜視図であって、長い円筒部材を保持可能とするために他方の辺部に組み付けられるべき分割保持体を組み付けた状態を示す図である。
【図３】図１、図２に示す矩形状基体の一部を拡大して示す拡大斜視図で    ある。
【図４】本発明に係わる矩形状基体の全体形状を示す平面図である。
【図５】本発明に係わる輸送用組立体に保持される円筒部材の一例を示す平面図であって、（ａ）は図１に示す輸送用組立体に保持される円筒部材を示し、（ｂ）は図２に示す輸送用組立体に保持される円筒部材を示す。
【図６】図１、図２に示す矩形状基体の一方の辺部に保持されるべき分割保持体を示す図であって、（ａ）はその正面図であり、（ｂ）はその背面図である。
【図７】図６に示す分割保持体の斜視図であって、（ａ）はその分割保持体を正面側から目視した斜視図であり、（ｂ）はその分割保持体を背面側から目視した斜視図である。
【図８】図６、図７に示す分割保持体の起立板部の一方に形成された切り欠き穴の形状を示す部分拡大図である。
【図９】図１、図２に示す矩形状基体の他方の辺部に保持されるべき分割保持体を示す斜視図であって、（ａ）はその分割保持体の起立板部を構成する他方の対向壁部の側から目視した斜視図であり、（ｂ）はその分割保持体の起立板部を構成する一方の対向壁部の側から目視した斜視図である。
【図１０】図１、図２に示す矩形状基体の他方の辺部に保持されるべき分割保持体を示す図であって、（ａ）は他方の対向壁部である背面側から分割保持体を目視した図であり、（ｂ）はその分割保持体を側面から目視した図であり、（ｃ）は一方の対向壁部である正面側から分割保持体を目視した図であり、（ｄ）はその分割保持体を上面側から目視した状態を示す図である。
【図１１】図１、図２に示す一方の辺部に組み付けられるべき各分割保持体、他方の辺部に組み付けられるべき各分割保持体の他の例を示す部分拡大図である。
【図１２】長い円筒部材が保持された輸送用組立体の一部を破断して示す側面図である。
【図１３】短い円筒部材が保持された輸送用組立体の一部を破断して示す側面図である。
【図１４】短い円筒部材が保持された輸送用組立体を示す平面図である。
【図１５】長い円筒部材が保持された輸送用組立体を示す平面図である。
【図１６】長い円筒部材を保持した輸送用組立体を箱に積み重ねる状態を示す斜視図であって、長い円筒部材の図示を略して示す図である。
【符号の説明】
【００８１】
１…矩形状基体
２、３…分割保持体
６、６’…長辺部
７、７’…挿入保持板部
Ｍ１、Ｍ２…マグネットローラ（円筒部材）
【図１】
0004709616.tif 000002
【図２】
0004709616.tif 000003
【図３】
0004709616.tif 000004
【図４】
0004709616.tif 000005
【図５】
0004709616.tif 000006
【図６】
0004709616.tif 000007
【図７】
0004709616.tif 000008
【図８】
0004709616.tif 000009
【図９】
0004709616.tif 000010
【図１０】
0004709616.tif 000011
【図１１】
0004709616.tif 000012
【図１２】
0004709616.tif 000013
【図１３】
0004709616.tif 000014
【図１４】
0004709616.tif 000015
【図１５】
0004709616.tif 000016
【図１６】
0004709616.tif 000017